(57)【要約】【課題】電源オフ状態において表示させる情報を変更させることができる携帯型表示装置及びプログラムを提供する。【解決手段】携帯型表示装置は、電源からの電力供給が断たれたときでも表示を維持する不揮発性表示部を備えている。携帯型表示装置は、不揮発性表示部を駆動して、不揮発性表示部に情報を表示する。携帯型表示装置は、電源オフ状態のときにおいて、所定のタイミングで繰り返し電源オフ状態から電源オン状態に移行して不揮発性表示部に表示する情報を変更する。【選択図】図４
2011039200.tif 000002
【特許請求の範囲】
【請求項１】
電源からの電力供給が断たれたときでも表示を維持する不揮発性表示部と、
前記不揮発性表示部を駆動して、前記不揮発性表示部に情報を表示する制御部と、を備え、
前記制御部は、電源オフ状態のときにおいて、所定のタイミングで繰り返し電源オフ状態から電源オン状態に移行して前記不揮発性表示部に表示する情報を変更することを特徴とする携帯型表示装置。
【請求項２】
前記制御部は、電源オフ状態のときにおいて、予め設定されている時間又は期間を前記所定のタイミングとして、電源オフ状態から電源オン状態に移行して前記不揮発性表示部に表示する情報を変更することを特徴とする請求項１に記載の携帯型表示装置。
【請求項３】
前記制御部は、前記所定のタイミングで電源オフ状態から電源オン状態に移行した後に、前記不揮発性表示部に表示する情報が記憶された外部装置に前記変更する情報の取得を要求して、前記外部装置から前記変更する情報を取得し、前記不揮発性表示部に表示する情報を変更することを特徴とする請求項１又は２に記載の携帯型表示装置。
【請求項４】
前記制御部は、電源オフ状態のときにおいて、前記不揮発性表示部に表示する情報が記憶された外部装置から前記変更する情報を受信した場合に前記所定のタイミングとなったと判定して、電源オフ状態から電源オン状態に移行して当該変更する情報を取得し、前記不揮発性表示部に表示する情報を変更することを特徴とする請求項１に記載の携帯型表示装置。
【請求項５】
電源オフ状態のときに前記不揮発性表示部に表示する複数の情報を記憶可能とした情報記憶部を備え、
前記制御部は、電源オフ状態において、前記所定のタイミングで繰り返し、前記情報記憶部に記憶された複数の情報から前記不揮発性表示部に表示する情報を選択して前記不揮発性表示部に表示することを特徴とする請求項１又は２に記載の携帯型表示装置。
【請求項６】
前記制御部は、電源オン状態から電源オフ状態へ移行する際に、前記情報記憶部に記憶された複数の情報のうち、当該移行直前の電源オン状態において前記不揮発性表示部に表示している情報に関連する情報を前記不揮発性表示部に表示することを特徴とする請求項５に記載の携帯型表示装置。
【請求項７】
前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とする請求項６に記載の携帯型表示装置。
【請求項８】
電源からの電力供給が断たれたときでも表示を維持する不揮発性表示部と、
前記不揮発性表示部を駆動して、前記不揮発性表示部に情報を表示する制御部と、を備えた携帯型表示装置の制御部に、
電源オフ状態のときにおいて、所定のタイミングで繰り返し電源オフ状態から電源オン状態に移行して前記不揮発性表示部に表示する情報を変更するステップを実行させることを特徴とするプログラム。
【発明の詳細な説明】
【技術分野】
【０００１】
本発明は、携帯型表示装置及びプログラムに関するものであり、電源からの電力供給が断たれたときでも表示を維持する携帯型表示装置及びプログラムに関するものである。
【背景技術】
【０００２】
従来、電源からの電力供給が断たれたときにおいても表示状態を保持する不揮発性表示部を備えた電子ペーパー等の携帯型表示装置が使用されている（例えば、特許文献１参照）。このような携帯型表示装置では、電源オン状態から電源オフ状態となる直前において不揮発性表示部に表示されている情報をそのまま維持することによって、電源オン状態から電源オフ状態に移行した後においても、表示されていた情報をユーザに対して閲覧可能に表示させることができる。例えば、ある情報を表示させた状態において、電源オン状態から電源オフ状態となった場合には、その表示されている情報をそのまま維持し、表示させ続けることができる。
【先行技術文献】
【特許文献】
【０００３】
【特許文献１】特開２００７−１８７９２７号公報
【発明の概要】
【発明が解決しようとする課題】
【０００４】
しかしながら、上述したような携帯型表示装置では、電源オフ状態においては、情報の表示を一定に維持することとなる。したがって、再び電源オン状態になって、他の情報に書き換えられるまでは、携帯型表示装置は同じ情報を維持したままとなる。
【０００５】
本発明は、上述したような課題に鑑みてなされたものであり、電源オフ状態において表示させる情報を変更させることができる携帯型表示装置及びプログラムを提供することを目的とする。
【課題を解決するための手段】
【０００６】
以上のような目的を達成するために、本発明は、以下のようなものを提供する。
【０００７】
すなわち、請求項１記載の本発明では、電源からの電力供給が断たれたときでも表示を維持する不揮発性表示部と、前記不揮発性表示部を駆動して、前記不揮発性表示部に情報を表示する制御部と、を備え、前記制御部は、電源オフ状態のときにおいて、所定のタイミングで繰り返し電源オフ状態から電源オン状態に移行して前記不揮発性表示部に表示する情報を変更することを特徴とする携帯型表示装置とした。
【０００８】
また、請求項２記載の本発明では、請求項１に記載の発明において、前記制御部は、電源オフ状態のときにおいて、予め設定されている時間又は期間を前記所定のタイミングとして、電源オフ状態から電源オン状態に移行して前記不揮発性表示部に表示する情報を変更することを特徴とするものである。
【０００９】
また、請求項３記載の本発明では、請求項１又は２に記載の発明において、前記制御部は、前記所定のタイミングで電源オフ状態から電源オン状態に移行した後に、前記不揮発性表示部に表示する情報が記憶された外部装置に前記変更する情報の取得を要求して、前記外部装置から前記変更する情報を取得し、前記不揮発性表示部に表示する情報を変更することを特徴とするものである。
【００１０】
また、請求項４記載の本発明では、請求項１に記載の発明において、前記制御部は、電源オフ状態のときにおいて、前記不揮発性表示部に表示する情報が記憶された外部装置から前記変更する情報を受信した場合に前記所定のタイミングとなったと判定して、電源オフ状態から電源オン状態に移行して当該変更する情報を取得し、前記不揮発性表示部に表示する情報を変更することを特徴とするものである。
【００１１】
また、請求項５記載の本発明では、請求項１又は２に記載の発明において、電源オフ状態のときに前記不揮発性表示部に表示する複数の情報を記憶可能とした情報記憶部を備え、前記制御部は、電源オフ状態において、前記所定のタイミングで繰り返し、前記情報記憶部に記憶された複数の情報から前記不揮発性表示部に表示する情報を選択して前記不揮発性表示部に表示することを特徴とするものである。
【００１２】
また、請求項６記載の本発明では、請求項５に記載の発明において、前記制御部は、電源オン状態から電源オフ状態へ移行する際に、前記情報記憶部に記憶された複数の情報のうち、当該移行直前の電源オン状態において前記不揮発性表示部に表示している情報に関連する情報を前記不揮発性表示部に表示することを特徴とするものである。
【００１３】
また、請求項７記載の本発明では、請求項６に記載の発明において、前記不揮発性表示部に表示している情報に関連する情報は、前記不揮発性表示部に表示している情報が記憶されているフォルダに格納されている情報、又は、前記不揮発性表示部に表示している情報と同じ情報種別の情報であることを特徴とするものである。
【００１４】
また、請求項８記載の本発明では、電源からの電力供給が断たれたときでも表示を維持する不揮発性表示部と、前記不揮発性表示部を駆動して、前記不揮発性表示部に情報を表示する制御部と、を備えた携帯型表示装置の制御部に、電源オフ状態のときにおいて、所定のタイミングで繰り返し電源オフ状態から電源オン状態に移行して前記不揮発性表示部に表示する情報を変更するステップを実行させるプログラムとした。
【発明の効果】
【００１５】
また、請求項１に係る発明では、電源オフ状態のときにおいて、所定のタイミングで繰り返し電源オフ状態から電源オン状態に移行して不揮発性表示部に表示する情報を変更する。従って、電源オフ状態であっても、所定のタイミングで電源オン状態に移行して、表示させる情報を変更させることができる。
【００１６】
また、請求項２に係る発明では、電源オフ状態のときにおいて、予め設定されている時間又は期間を所定のタイミングとして、電源オフ状態から電源オン状態に移行して不揮発性表示部に表示する情報を変更する。従って、情報を変更させるタイミングを、予め時間又は期間として設定するため、ユーザに時間又は期間を認識させることができ、更に、例えば、スケジュール、カレンダ、カウントダウン等、時間又は期間毎に変更することによって、利便性も高い。
【００１７】
また、請求項３に係る発明では、所定のタイミングで電源オフ状態から電源オン状態に移行した後に、不揮発性表示部に表示する情報が記憶された外部装置に変更する情報の取得を要求して、外部装置から変更する情報を取得し、不揮発性表示部に表示する情報を変更する。従って、外部装置への要求によって、変更する情報を取得し、不揮発性表示部に表示する情報を変更することとなり、外部装置において記憶されている情報にも変更可能となる。
【００１８】
また、請求項４に係る発明では、電源オフ状態のときにおいて、不揮発性表示部に表示する情報が記憶された外部装置から変更する情報を受信した場合に所定のタイミングとなったと判定して、電源オフ状態から電源オン状態に移行してその変更する情報を取得し、不揮発性表示部に表示する情報を変更する。従って、外部装置からの情報の受信によって、変更する情報を取得し、不揮発性表示部に表示する情報を変更することとなり、外部装置において記憶されている情報にも変更可能となり、更に簡便である。
【００１９】
また、請求項５に係る発明では、電源オフ状態において、所定のタイミングで繰り返し、電源オフ状態のときに不揮発性表示部に表示する複数の情報から、不揮発性表示部に表示する情報を選択して不揮発性表示部に表示する。従って、電源オフ状態においても、不揮発性表示部には複数の情報からいずれかが選択されて表示するため、電源オフ状態において表示させる情報にバリエーションを増大させることができる。
【００２０】
また、請求項６に係る発明では、電源オン状態から電源オフ状態へ移行する際に、記憶された複数の情報のうち、その移行直前の電源オン状態において不揮発性表示部に表示している情報に関連する情報を不揮発性表示部に表示する。従って、ユーザが視認していた情報に関連する情報を表示することによって、電源オン状態と電源オフ状態とで関連性を持たせることができる。
【００２１】
また、請求項７に係る発明では、不揮発性表示部に表示している情報に関連する情報は、不揮発性表示部に表示している情報が記憶されているフォルダに格納されている情報、又は、不揮発性表示部に表示している情報と同じ情報種別の情報である。従って、不揮発性表示部に表示している情報が記憶されているフォルダに格納されている情報、又は、不揮発性表示部に表示している情報と同じ情報種別の情報に関連する情報を表示させることができ、そのフォルダや情報種別毎に、関連する情報を設定可能であり、簡便である。
【図面の簡単な説明】
【００２２】
【図１】携帯型表示装置１の正面図である。
【図２】携帯型表示装置１及び外部装置２００の電気的構成を示す模式図である。
【図３】携帯型表示装置１における電源オフ表示テーブルを示す説明図である。
【図４】電気泳動表示装置２１にコンテンツが表示されている状態を示す説明図である。
【図５】電気泳動表示装置２１にコンテンツが表示されている状態を示す説明図である。
【図６】携帯型表示装置１において実行される処理の動作を示すフローチャートである。
【図７】携帯型表示装置１において実行される処理の動作を示すフローチャートである。
【図８】携帯型表示装置１において実行される処理の動作を示すフローチャートである。
【図９】携帯型表示装置１において実行される処理の動作を示すフローチャートである。
【図１０】外部装置２００において実行される処理の動作を示すフローチャートである。
【図１１】携帯型表示装置１において実行される処理の動作を示すフローチャートである。
【図１２】携帯型表示装置１とサーバ３００において実行される処理の動作を示すフローチャートである。
【図１３】携帯型表示装置１とサーバ３００において実行される処理の動作を示すフローチャートである。
【発明を実施するための形態】
【００２３】
以下、本発明の一の実施の形態について図面を参照して説明する。
【００２４】
尚、本発明は、電源オン状態から電源オフ状態に移行する際における制御に関するものであり、以下の実施形態における携帯型表示装置１に採用する。
【００２５】
まず、図１を参照して、携帯型表示装置１の外観及び主な動作について説明する。図１は、携帯型表示装置１の正面図である。
【００２６】
図１に示すように、携帯型表示装置１は、略直方体形状をしており、その正面には電気泳動表示装置（不揮発性表示部）２１が設けられている。また、図１において図示しないが、携帯型表示装置１の右側面には、メモリカード２３（図２参照）を挿入するためのカードスロットが設けられている。携帯型表示装置１では、メモリカード２３に記憶されているコンテンツを電気泳動表示装置２１に表示させることができる。尚、本実施の形態における「コンテンツ」は、文字、静止画像及び動画のうちの少なくとも１つの情報を含む。そして、「コンテンツ」のデータは、文字を表示させるためのデータ，画像を表示させるためのデータ及び動画を表示させるためのデータのうちの少なくとも１つのデータで構成される。
【００２７】
そして、電気泳動表示装置２１の右側には、ユーザによって操作可能な操作部としての操作キー１４が設けられている。決定キー１４５の上下左右にはそれぞれ、上キー１４１，下キー１４２，左キー１４４，右キー１４３が設けられている。例えば、上キー１４１及び下キー１４２は目次画面やメニュー画面においてコンテンツを選択するためのキーであり、左キー１４４及び右キー１４３は表示されているコンテンツのページめくりを行うためのキーである。これらの操作キー１４を電気泳動表示装置２１に表示されている情報に応じて操作することにより、メモリカード２３に記憶されているコンテンツを表示させたり、各種設定の指示がなされたりする。
【００２８】
また、操作キー１４の下部には電源キー１５が設けられている。電源キー１５は、携帯型表示装置１の電源の入り切りを指示するキーである。
【００２９】
次に、図２を参照して、携帯型表示装置１の電気的構成について説明する。図２は、携帯型表示装置１の電気的構成を示す模式図である。即ち、電源キー１５は、携帯型表示装置１をオフ状態からオン状態に移行させ、また、携帯型表示装置１をオン状態からオフ状態に移行させるキーである。
【００３０】
図２に示すように、携帯型表示装置１には、制御部としてのＣＰＵ１０と、表示コントローラ１１と、充電コントローラ１２と、メモリカードインタフェース（Ｉ／Ｆ）１３と、操作キー１４と、電源キー１５と、ＲＯＭ１６と、ＲＡＭ１７と、ＥＥＰＲＯＭ１８と、ＲＴＣ（Ｒｅａｌ  Ｔｉｍｅ  Ｃｌｏｃｋ）１９と、通信コントローラ２４が設けられている。
【００３１】
ＣＰＵ１０は携帯型表示装置１の制御を司る。ＲＯＭ１６は、各種データ及び携帯型表示装置１を動作させる表示端末プログラムが記憶されている。ＲＡＭ１７は各種データを一時的に記憶するメモリである。ＥＥＰＲＯＭ１８は、不揮発性メモリである。ＲＴＣ１９は、時間を計測する。そして、表示コントローラ１１は、電気泳動表示装置２１（図１参照）への情報の表示を制御する。メモリカードＩ／Ｆ１３は、メモリカード２３からの情報の読み取りと、メモリカード２３への情報の書き込みを制御する。そして、通信コントローラ２４は、通信部２５を制御し、サーバ３００などの他の装置と通信可能とする。尚、携帯型表示装置１は、図示外の外部電源から電力供給を受けていない場合には、内部電源であるバッテリ２２の電力で駆動される。バッテリ２２又は外部電源からの電力供給経路は、ＣＰＵ１０に対するものと、ＲＯＭ１６，ＲＡＭ１７，ＥＥＰＲＯＭ１８，表示コントローラ１１といった周辺機器に対するものとの２系統ある。そして、充電コントローラ１２は、バッテリ２２への外部電源からの充電を制御する。
【００３２】
また、この携帯型表示装置１では、電源キー１５の押下により電源の入り切りを指示できる。電源オフ状態で電源キー１５が押下されたり、操作キー１４が押下されたりすると、「電源投入」の指示とされ、ＣＰＵ１０及び周辺機器への電力供給が行われ、携帯型表示装置１は稼働状態、即ち電源オン状態となる。一方、電源オン状態で電源キー１５が押下されると、「電源切断」の指示とされ、電源オン状態から電源オフ状態へ移行するための電源オフ処理が行われて、ＣＰＵ１０及び周辺機器への電力供給が断たれる。また、ユーザからの操作が所定時間（電源オフ設定時間）行われなかった場合にも、携帯型表示装置１は使用されていない状態であるとして、電源オフ処理が行われて、ＣＰＵ１０の動作モードが省電力モードに移行して、周辺機器への電力供給が断たれる。尚、このときにもＲＴＣ１９等には電力が供給されており、後述する更新時間に応じてＣＰＵ１０及び周辺機器を動作させるようにしている。
【００３３】
尚、上記電源オフ状態として、本実施形態では、ＣＰＵ１０及び周辺機器への電力供給が断たれる状態としているが、これに限らず、次の状態（ａ）〜（ｄ）のいずれか、もしくは、状態（ａ）〜（ｃ）のいずれかの組み合わせの状態、もしくは、（ｂ）〜（ｄ）のいずれかの組み合わせの状態としてもよい。（ａ）ＣＰＵ１０の電力供給が停止された状態。（ｂ）少なくともいずれか一つの周辺機器（たとえば、ＲＡＭ１７、表示コントローラ等の各コントローラ１１、電気泳動表示装置２１等）の電力供給が停止された状態。（ｃ）少なくともいずれか一つの周辺機器の動作モードが通常時よりも消費電力の少ない省電力モードに移行した状態。（ｄ）ＣＰＵ１０の動作モードが通常時よりも消費電力の少ない省電力モードに移行した状態。または、これらの電源オフ状態は次のときに引き起こされる。電源キー１５が押下されたとき。または、所定時間の間、操作キー１４が押下されなかったとき。バッテリ２２の電池残量が少なくなったとき。または、バッテリ２２の電池残量が無くなること、もしくは、バッテリ２２の未装填が原因で、バッテリ２２から電力の供給が不可能になったとき。
【００３４】
電気泳動表示装置２１は、不揮発性の不揮発性表示部であり、電気泳動表示装置２１への電力供給が断たれても表示状態を保持することができる。つまり、この電気泳動表示装置２１は、電源からの電力供給が断たれたときでも表示を維持する。このため、電源オフ状態であっても維持（保持）された情報を視認可能となり、省電力を図ることもできる。
【００３５】
また、この携帯型表示装置１は、外部装置２００とメモリカード２３を介してデータの読み書きが可能である。この外部装置２００は、携帯型表示装置１に対して文書などのコンテンツのデータや、そのコンテンツに関連する電源オフ時表示情報などを供給することとなる。
【００３６】
外部装置２００には、制御部としてのＣＰＵ２１０と、表示コントローラ２１１と、メモリカードインタフェース（Ｉ／Ｆ）２１３と、操作部２１４と、ＲＯＭ２１６と、ＲＡＭ２１７と、ハードディスクドライブ（ＨＤＤ）２１８と、表示装置２２１とが設けられている。
【００３７】
ＣＰＵ２１０は外部装置２００の制御を司る。ＲＯＭ２１６は、各種データ及び外部装置２００を動作させる表示端末プログラムが記憶されている。ＲＡＭ２１７は各種データを一時的に記憶するメモリであり、ＨＤＤ２１８は、外部装置２００の各種データを記憶する不揮発性の記憶媒体である。そして、表示コントローラ２１１は、表示装置２２１への情報の表示を制御する。メモリカードＩ／Ｆ２１３は、メモリカード２３からのデータの読み取り、メモリカード２３へのデータの書き込みを制御する。
【００３８】
この外部装置２００は、メモリカード２３を介して、携帯型表示装置１におけるコンテンツのデータを供給するために用いられるが、特に、コンテンツに対応する電源オフ時表示情報の設定を行うためにも用いられる。
【００３９】
また、この携帯型表示装置１は、サーバ３００と通信網（図示せず）を介して通信可能である。このサーバ３００は、携帯型表示装置１に対して文書などのコンテンツのデータや、そのコンテンツに関連する電源オフ時表示情報のデータなどを供給することとなる。
【００４０】
サーバ３００には、制御部としてのＣＰＵ３１０と、ＲＯＭ３１６と、ＲＡＭ３１７と、ハードディスクドライブ（ＨＤＤ）３１８と、通信コントローラ３２４と、が設けられている。
【００４１】
ＣＰＵ３１０はサーバ３００の制御を司る。ＲＯＭ３１６は、各種データ及びサーバ３００を動作させるプログラムが記憶されている。ＲＡＭ３１７は各種データを一時的に記憶するメモリであり、ＨＤＤ３１８は、サーバ３００の各種データを記憶する不揮発性の記憶媒体である。そして、通信コントローラ３２４は、通信部３２５を制御し、携帯型表示装置１などの他の装置と通信可能とする。
【００４２】
このサーバ３００は、通信網（図示せず）を介して、携帯型表示装置１におけるコンテンツのデータを供給するために用いられるが、特に、そのコンテンツに対応する電源オフ時表示情報を更新するためにも用いられる。
【００４３】
表示コントローラ１１は、ＣＰＵ１０から受信する情報の書き換え指示に従って、電気泳動表示装置２１のゲートドライバ（図示せず）とソースドライバ（図示せず）とを制御して、電気泳動表示装置２１の画像を書き換える。
【００４４】
電気泳動表示装置２１は、電気泳動表示パネル（図示せず）と、電気泳動表示パネルの各ゲートラインへゲート信号を出力するためのゲートドライバと、電気泳動表示パネルの各ソースラインへソース信号を出力するためのソースドライバとを備える。電気泳動表示パネルは、アクティブマトリクス方式の表示パネルである。電気泳動表示パネルは、表示面側の透明基板と、透明基板に対向する位置に設けられた背面基板とを有する。透明基板と背面基板との間に電気泳動型の表示素子が設けられている。アクティブマトリクス方式の表示パネルは、透明基板側に設けられた共通電極と背面基板側に画素ごとに設けられた画素電極とにそれぞれ電圧を印加することにより情報の書き換えが行われる。表示コントローラ１１から情報の書き換えの指示を受けたゲートドライバとソースドライバとは、書き換える情報に応じたゲート信号とソース信号とを電気泳動表示パネルのゲートラインとソースラインとに出力する。これにより電気泳動表示パネルの各画素電極には電気泳動型の表示素子を制御する電圧が印加され、電気泳動表示パネルに表示された情報は書き換えられる。
【００４５】
次に、図３を参照して、携帯型表示装置１で電源オフ状態において表示させる情報である電源オフ時表示情報を決定するための電源オフ表示テーブルについて説明する。図３は、携帯型表示装置１における電源オフ表示テーブルを示す説明図である。
【００４６】
電源オフ表示テーブルには、図３（ａ）に示すような電源オフ表示テーブル（本体）と、図３（ｂ）に示すような電源オフ表示テーブル（コンテンツ）と、が含まれている。電源オフ表示テーブル（本体）は、携帯型表示装置１の自体（本体）全般に対応する電源オフ時表示情報の設定を記憶したテーブルであり、電源オフ表示テーブル（コンテンツ）は、コンテンツ毎に対応する電源オフ時表示情報の設定を記憶したテーブルである。また、電源オフ表示テーブルは、携帯型表示装置１のＥＥＰＲＯＭ１８やメモリカード２３内に記憶されている。具体的には、電源オフ表示テーブル（本体）はＥＥＰＲＯＭ１８に記憶されており、電源オフ表示テーブル（コンテンツ）はメモリカード２３に記憶されている。電源オフ表示テーブルは、図３に示すように、設定対象と、その設定対象に対応する電源オフ時表示情報の設定とが対応付けられている。電源オフ表示テーブルにおける電源オフ時表示情報の設定は、操作キー１４や外部装置２００の操作部２１４の操作により行うことができる。
【００４７】
電源オフ時表示情報の設定の種類には、図３（ｂ）に示すコンテンツに対応する設定として本体設定が含まれている。本体設定は、電源オフ表示テーブル（コンテンツ）のみで設定可能であり、コンテンツにおけるデフォルト設定である。この本体設定は、上述した電源オフ表示テーブル（本体）の設定に基づいて、電源オフ時表示情報を決定する設定である。例えば、図３（ｂ）の電源オフ表示テーブル（コンテンツ）では、文書Ｈにおいて本体設定が設定されている。文書Ｈを表示している状態で電源オン状態から電源オフ状態に移行するときは、図３（ａ）に示す電源オフ表示テーブル（本体）が参照され、文書Ｈが、情報１、情報２、情報３が電源オフ状態のときに電気泳動表示装置２１に表示される。
【００４８】
また、複数種類の表示を行うことができる情報と、一種類の表示を行うことができる情報と、が一つのコンテンツに対応して設定可能である。具体的に、複数種類の表示を行うことができる情報としては、日にちによって表示が更新されるスケジュール（図５（ａ）、図５（ｂ）参照）、イベントに対するカウントダウン（図５（ｃ）参照）、カレンダ（図５（ｄ）参照）、時間によって表示が更新される天気予報（図５（ｅ）参照）などが含まれる。このため、例えば、図３に示す文書Ａ、文書Ｄ、文書Ｅ、文書Ｆに対しては、それぞれ一つの情報が対応付けられているため、複数種類の表示を行うことのできる情報を表示可能（更新可能）となる。
【００４９】
また、一つのコンテンツに対応して複数の情報が対応付けることができる。例えば、図３（ａ）に示すような電源オフ表示テーブル（本体）や、図３（ｂ）に示すような電源オフ表示テーブル（コンテンツ）における文書Ｇのように、一種類の表示を行う情報であっても、一つのコンテンツに対応して複数の情報を対応付けることによって、複数種類の情報を表示可能（更新可能）となる。
【００５０】
このような電源オフ表示テーブルが記憶された携帯型表示装置１のＥＥＰＲＯＭ１８やメモリカード２３内には、コンテンツのデータが記憶されているが、上述した電源オフ時表示情報として設定されている情報１〜３、カレンダ、天気予報、カウントダウン、スケジューラ、広告情報１、広告情報２に関する画像などのデータ、情報も記憶されている。ＥＥＰＲＯＭ１８や、メモリカード２３は、情報記憶部の一例である。
【００５１】
次に、図４及び図５を参照して、電気泳動表示装置２１の表示内容について説明する。図４及び図５は、電気泳動表示装置２１にコンテンツが表示されている状態を示す説明図である。
【００５２】
電気泳動表示装置２１では、電源オン状態においては、図４（ａ）に示すようなメールの内容など、各種情報が表示される。この場合においては、電気泳動表示装置２１の表示領域下方（フッタ）には、ページ情報等が表示されている。
【００５３】
そして、このような電源オン状態で、電源キー１５の押下操作が行われたときや、操作キー１４の操作なく電源オフ設定時間が経過したときには、電源オン状態から電源オフ状態となるが、この場合において、図４（ｂ）に示すように、電源オフ時表示情報（例えば、鯉のぼりの画像）が表示され、電気泳動表示装置２１の表示領域下方には、「電源オフしました」というメッセージが表示される。
【００５４】
また、図４（ｂ）に示すような電源オフ状態において、電源キー１５の押下操作が行われたときや、別の操作キー１４が操作されたときには、電源オン状態となり、図４（ｃ）に示すように、電気泳動表示装置２１の表示領域には、トップページが表示される。
【００５５】
また、図４（ｂ）に示すような電源オフ状態において、電源キー１５の押下操作が行われず、所定時間経過した場合には、図４（ｄ）に示すように、図４（ｂ）の状態で表示されていた情報とは異なる電源オフ時表示情報（例えば、富士山の画像）が表示される。詳しくは後述するが、この場合においては、電源オフ状態になってから所定時間経過後に電源オン状態に移行させ、今まで表示していた情報から、別の情報に切り替えることとなる。
【００５６】
また、図４（ｅ）に示すように、操作キー１４の操作に応じて電気泳動表示装置２１には、電源オフ設定時間、本体に対応する電源オフ時表示情報が表示される。ユーザは、図４（ｆ）で示す画面を表示して、操作キー１４を操作することで電源オフ設定時間と、本体に対応する電源オフ時表示情報との設定が可能である。尚、電源オン状態において、操作キー１４等の操作なく電源オフ設定時間が経過したときには、上述したように電源オン状態から電源オフ状態となる。
【００５７】
また、図４（ｆ）に示すように、本体に対応する電源オフ時表示情報の設定として複数の情報を設定することが可能である。複数の情報が電源オフ時表示情報として設定されている場合は、これらの複数の情報の表示順序も設定可能である。尚、携帯型表示装置１においては、図４（ｆ）に示すように、本体に対応する電源オフ時表示情報が設定可能であるが、外部装置２００などの操作に応じて、コンテンツに対応する電源オフ時表示情報が設定可能である。
【００５８】
尚、電源オフ時表示情報の設定として複数の情報が設定されている場合には、予め定められ、ＥＥＰＲＯＭ１８に記憶されている更新時間（例えば１０分）が経過するごとに、電源オフ状態において表示される情報が更新される。
【００５９】
具体的には、図４（ｆ）に示すように設定されると、操作キー１４の操作がなく１５分経過した場合には、１番目に設定されている鯉のぼり画像を図４（ｂ）に示すように表示させる。そして、電源オン状態から電源オフ状態となる。その後、操作キー１４の操作が無く、更新時間として設定されている１０分経過した場合には、２番目に設定されている富士山画像を図４（ｄ）に示すように表示させる。そして、その後、操作キー１４の操作が無く、更新時間として設定されている１０分経過後に、３番目に設定されている桜画像を表示させ、そのまた１０分後に１番目に設定されている鯉のぼり画像を表示させることとなる。
【００６０】
また、電源オフ時表示情報の設定としてスケジュールが設定されていた場合において、電源オフ状態に移行する際には、日にち情報に基づいて、日にち情報が示す日にちに対応するスケジュールを図５（ａ）に示すように表示させる。日にち情報は現在の日にちが何年の何月何日かを示す情報であり、ＲＴＣ１９で計測される時間に基づいて適宜、日にち情報は更新される。日にち情報はＥＥＰＲＯＭ１８に記憶されている。そして、電源オフ状態が継続され、日にちが更新されるタイミングで、電源オフ状態から電源オン状態に一時的に移行し、その更新された日にち情報に基づいて図５（ｂ）に示すように表示させる。具体的な一例を挙げると、日付が変更されると、図５（ａ）に示すように３月１９日のスケジュール画像が表示された状態から、図５（ｂ）に示すように３月２０日のスケジュール画像が表示された状態となる。
【００６１】
また、例えば、図５（ｃ）に示すようなカウントダウン、図５（ｄ）に示すようなカレンダ、図５（ｅ）に示すような天気予報などが電源オフ時表示情報として設定されると、スケジュールと同じように、所定のタイミングで電源オフ状態から一時的に電源オン状態となり、表示が切り替えられることとなる。カウントダウンやカレンダに関しては、スケジュールと同じように日にちの切り替わりのタイミングで表示が切り替わり、天気予報に関しては、数時間毎に表示が切り替わる。尚、本実施形態では、電源オフ状態の際に、予めメモリカード２３に記憶されている電源オフ時表示情報を表示するものとして説明するが、一時的に電源オン状態となったときに通信部２５を介して、その時に応じた電源オフ時表示情報をサーバ３００から取得してそれを表示させるようにしてもよい。
【００６２】
また、図５（ｆ）に示すように広告情報を電源オフ時表示情報としてコンテンツに対応付けて設定させてもよい。ここで、週間漫画雑誌等をコンテンツとして、漫画単行本の広告情報などを電源オフ時表示情報として採用した場合を具体的な一例として挙げる。この場合において、通信網を介してサーバ３００から、ユーザが所望とする週間漫画雑誌をダウンロードした場合に、その週間漫画雑誌に漫画単行本の広告情報が対応付けられて自動的にダウンロードされる。そして、電源オフ状態に移行する際に、その直前に週間漫画雑誌のコンテンツが表示されていた場合には、電源オフ状態において、週間漫画雑誌に対応する漫画単行本の広告情報が表示されることとなる。また、例えば、単行本の発売日となったタイミングで、単行本の発売日の広告情報が、単行本が発売中の広告情報に切り替わるようにしてもよい。
【００６３】
次に、図６から図１１のフローチャートを参照して、携帯型表示装置１等の動作について説明する。図６から図１０は、携帯型表示装置１において実行される処理の動作を示すフローチャートであり、図１１は、外部装置２００において実行される処理の動作を示すフローチャートである。特に、図６に示すメイン処理は、携帯型表示装置１が電源オフ状態から電源オン状態に移行する際に開始される。つまり、電源キー１５が押下される、又は、いずれかの操作キー１４が押下された際に開始される。
【００６４】
まず、図６に示すように、メイン処理では、ＣＰＵ１０は、起動処理を行う（ステップＳ１１）。ＣＰＵ１０は、詳しくは図７を用いて後述するが、携帯型表示装置１の起動処理を実行することとなる。そして、ＣＰＵ１０は、電気泳動表示装置２１に、図７（ｃ）に示すようにトップページを表示する（ステップＳ１２）。
【００６５】
次に、ＣＰＵ１０は、操作キー１４や電源キー１５のいずれかのキーの押下操作があったか否かを判定する（ステップＳ５１）。ＣＰＵ１０は、いずれかのキーの押下操作があったと判定した場合には（ステップＳ５１：ＹＥＳ）、ステップＳ５５に進み、いずれかのキーの押下操作がなかったと判定した場合には（ステップＳ５１：ＮＯ）、電源オフ設定時間を計測するためにタイマ計測を開始し（ステップＳ５２）、ステップＳ５３に進む。
【００６６】
ステップＳ５３においても、ＣＰＵ１０は、いずれかのキーの押下操作があったか否かを判定する。ＣＰＵ１０は、操作キー１４の押下操作があったと判定した場合には（ステップＳ５３：ＹＥＳ）、ステップＳ５５に進み、いずれかのキーの押下操作がなかったと判定した場合には（ステップＳ５３：ＮＯ）、電源オフ設定時間が経過したか否かを判定する（ステップＳ５４）。ＣＰＵ１０は、電源オフ設定時間が経過したと判定した場合には（ステップＳ５４：ＹＥＳ）、ステップＳ６６に進み、電源オフ設定時間が経過していないと判定した場合には（ステップＳ５４：ＮＯ）、再度、ステップＳ５３に進む。
【００６７】
ステップＳ５５において、ＣＰＵ１０は、電源キー１５が押下操作されたか否かを判定する。ＣＰＵ１０は、電源キー１５が押下操作されたと判定した場合には（ステップＳ５５：ＹＥＳ）、ステップＳ６６に進み、電源キー１５が押下操作されていないと判定した場合には（ステップＳ５５：ＮＯ）、その操作に対応する処理を実行し（ステップＳ５７）、再度、ステップＳ５１に進む。
【００６８】
これによって、電源オン状態において、いずれかのキーの操作がなく電源オフ設定時間が経過した場合や、電源キー１５の操作があった場合には、ステップＳ６６に進むこととなる。
【００６９】
ステップＳ６６において、ＣＰＵ１０は、電源オフ表示テーブルの設定に従って電源オフ時表示情報を表示する。ＣＰＵ１０は、電源オン状態から電源オフ状態に移行する際に電気泳動表示装置２１に表示されていたコンテンツに対応する電源オフ時表示情報を、電源オフ表示テーブル（コンテンツ）から読み出し、その設定に基づいて電源オフ時表示情報を表示する。
【００７０】
また、コンテンツに対応する電源オフ時表示情報の設定として、複数の電源オフ時表示情報が設定されている場合には、ＣＰＵ１０は、それら複数の電源オフ時表示情報のうち、最初の順番に設定されている電源オフ時表示情報を電気泳動表示装置２１に表示することとなる。
【００７１】
尚、電源オン状態において表示していたコンテンツに対する電源オフ時表示情報の設定が、電源オフ表示テーブル（コンテンツ）にされていない場合は、電源オフ表示テーブル（本体）の設定に基づいて、電源オフ時表示情報を表示する。また、電源オフ表示テーブル（コンテンツ）において、表示中のコンテンツに対応する電源オフ時表示情報の設定が本体設定である場合には、ＣＰＵ１０は、電源オフ表示テーブル（本体）に設定されている電源オフ時表示情報を電気泳動表示装置２１に表示することとなる。
【００７２】
そして、ＣＰＵ１０は、フッタ（表示領域下方）に「電源オフしました」というメッセージを表示し（ステップＳ６７）、ステップＳ６８に進む。そして、詳しくは図８を用いて後述するが、ＣＰＵ１０は、停止処理を行う（ステップＳ６８）。
【００７３】
また、ステップＳ６８が終了した場合には、ステップＳ６９に処理を移す。ステップＳ６９においては詳しく図１１を用いて後述するが、ＣＰＵ１０は、電源オフ中処理を実行する。この処理において、ＣＰＵ１０は、表示間隔となった場合に、一時的に、電源オン状態に移行し、情報を切り替えて、再度、電源オフ状態に移行することとなる。この処理が終了した場合には、ステップＳ１１に処理を移すこととなる。
【００７４】
図６のステップＳ１１などで呼び出される起動処理では、まず、図７に示すように、ＣＰＵ１０の動作モードを省電力モードから通常動作モードへ移行して（ステップＳ２１）、次いで周辺機器への電力供給が開始される（ステップＳ２２）。そして、周辺機器の初期化処理が行われ（ステップＳ２３）、ＣＰＵ１０においてシステムが起動される（ステップＳ２４）。このシステム起動により、それ以降のような処理が実行される。
【００７５】
図６のステップＳ６８などで呼び出される停止処理では、まず、図８に示すように、ＣＰＵ１０は、周辺機器の電力供給停止を行い（ステップＳ２６）、ＣＰＵ１０の動作モードを省電力モードに移行する（ステップＳ２７）。これによって、携帯型表示装置１は、電源オフ状態となる。尚、省電力モードとは、ＣＵＰ１０が通常時よりも消費電力の少ないモードである。
【００７６】
図６のステップＳ６９で呼び出される電源オフ中処理では、まず、図９に示すように、ＣＰＵ１０は、電源キー１５が押下されたか否かを判定する（ステップＳ２０１）。ＣＰＵ１０は、電源キー１５が押下されたと判定した場合には（ステップＳ２０１：ＹＥＳ）、本処理を終了し、図６のステップＳ１１に処理を移すこととなる。これによって、電源オフ状態において、電源キー１５を押下することによって、電源オン状態に移行されることとなる。一方、ＣＰＵ１０は、電源キー１５が押下されていないと判定した場合には（ステップＳ２０１：ＮＯ）、ステップＳ２０２に進む。
【００７７】
ステップＳ２０２において、ＣＰＵ１０は、更新時間が経過したか否かを判定する。この処理において、ＣＰＵ１０は、電気泳動表示装置２１に表示している電源オフ時表示情報に対応する更新時間が経過したか否かを判定することとなる。具体的には、ＣＰＵ１０は、表示させているコンテンツに対応付けてスケジュール、カウントダウン、カレンダが設定されている場合には、日にちを切り替えるタイミングで更新時間が経過したと判定し、表示させているコンテンツに対応付けて天気予報が設定されている場合には、数時間毎に更新時間が経過したと判定することとなる。また、表示させているコンテンツに複数の情報が電源オフ時表示情報として設定されている場合には、ＥＥＰＲＯＭ１８にあらかじめ設定されている更新時間が経過するか否かに基づいて、更新時間が経過したか否かを判断する。
【００７８】
ＣＰＵ１０は、更新時間が経過していないと判定した場合には（ステップＳ２０２：ＮＯ）、再度、ステップＳ２０１に処理を移す。一方、ＣＰＵ１０は、更新時間が経過したと判定した場合には（ステップＳ２０２：ＹＥＳ）、ステップＳ２０３に処理を移す。
【００７９】
そして、ステップＳ２０３において、ＣＰＵ１０は、起動処理を実行し、携帯型表示装置１を起動させる。そして、ＣＰＵ１０は、更新する電源オフ時表示情報を作成し（ステップＳ２０４）、更新した電源オフ時表示情報を表示することとなる（ステップＳ２０５）。このように、ＣＰＵ１０は、更新時間が経過したタイミングで、電源オフ状態から電源オン状態に一時的に移行させ、表示していた情報を変更することとなる。
【００８０】
そして、ＣＰＵ１０は、フッタ（表示領域下方）に「電源オフしました」というメッセージを表示する（ステップＳ２０６）。そして、ＣＰＵ１０は、停止処理を行い（ステップＳ２０７）、再度、ステップＳ２０１に進む。
【００８１】
これによって、ＣＰＵ１０は、電源オフ状態のときにおいて、予め設定されている時間又は期間を所定のタイミングとして、繰り返し電源オフ状態から電源オン状態に移行して、電気泳動表示装置２１に表示する情報を変更することとなる。また、この情報は、複数の情報から選択された情報であり、特に、コンテンツや本体設定に基づいて選択される。
【００８２】
従って、電源オフ状態であっても、所定のタイミングで電源オン状態に移行して、表示させる情報を変更させることができる。また、電源オフ状態においても、複数の情報からいずれかを選択することができる。
【００８３】
更にまた、情報を変更させるタイミングを、予め時間又は期間として設定するため、ユーザに時間又は期間を認識させることができ、更に、例えば、スケジュール、カレンダ、カウントダウン等、時間又は期間毎に変更することによって、利便性も高い。
【００８４】
次に、電源オフ設定処理について説明する。電源オン状態の携帯型表示装置１において所定操作が行われると、まず、図４（ｆ）に示した設定画面が表示され、その後、電源オフ設定処理が呼び出される。この設定画面では、電源オフ設定時間を設定するための項目である「電源オフ設定時間」と、電源オフ時表示情報を設定するための項目である「電源オフ時表示情報」とが表示されている。
【００８５】
電源オフ設定処理では、ＣＰＵ１０は、操作キー１４の押下操作に応じて、「電源オフ設定時間」の項目を選択する操作があったか否かを判定する（ステップＳ１０１）。ＣＰＵ１０は、「電源オフ設定時間」の項目を選択する操作があったと判定した場合には（ステップＳ１０１：ＹＥＳ）、ユーザに対して自動的に電源オフ状態に移行する機能を有効にするか否かの選択を促すメッセージを表示し、操作キー１４によるユーザの選択操作を受け付け、その選択操作に応じて、経過時間によって電源オフ状態とするか否かを判定する（ステップＳ１０２）。ＣＰＵ１０は、経過時間によって電源オフ状態とすると判定した場合には（ステップＳ１０２：ＹＥＳ）、具体的な設定値の入力を促すメッセージを表示し、ユーザにより入力された設定値を、電源オフ設定時間に設定し（ステップＳ１０３）、ステップＳ１０５に進む。一方、ＣＰＵ１０は、経過時間によって電源オフ状態としないと判定した場合には（ステップＳ１０２：ＮＯ）、電源オフ設定時間を設定せず（ステップＳ１０４）、ステップＳ１０５に進む。また、ＣＰＵ１０は、「電源オフ設定時間」の項目を選択する操作がなかったと判定した場合には（ステップＳ１０１：ＮＯ）、ステップＳ１０５に進む。
【００８６】
次に、ＣＰＵ１０は、操作キー１４の押下操作に応じて、「電源オフ設定時間」の項目を選択する操作があったか否かを判定する（ステップＳ１０５）。ＣＰＵ１０は、「電源オフ設定時間」の項目を選択する操作があったと判定した場合には（ステップＳ１０５：ＹＥＳ）、電源オフ時表示情報の設定を促すメッセージを表示し、設定の入力を終了する操作が行われたか否かを判定する（ステップＳ１０６）。ＣＰＵ１０は、設定の入力を終了する操作が行われていないと判定した場合には（ステップＳ１０６：ＮＯ）、ステップＳ１０７に進む。一方、ＣＰＵ１０は、設定の入力を終了する操作が行われたと判定した場合や（ステップＳ１０６：ＹＥＳ）、「電源オフ設定時間」の項目が選択されないと判定した場合には（ステップＳ１０５：ＮＯ）、本処理を終了する。
【００８７】
ステップＳ１０７において、ＣＰＵ１０は、ユーザにより電源オフ時に表示する情報を指定する操作の入力を受け付ける（ステップＳ１０７）。尚、ステップＳ１０７においては、メモリカード２３に記憶された情報が指定される。
【００８８】
ユーザにより指定された情報を電源オフ時表示情報として電源オフ表示テーブル（本体）に登録し（ステップＳ１０８）、再度、ステップＳ１０６に進む。これによって、ＣＰＵ１０は、操作キー１４などの操作部の操作に応じて指定された一又は複数の情報（例えば、情報１、情報２、情報３など）を選択し、電源オフ表示テーブル（本体）に記憶することとなる。
【００８９】
尚、本実施形態では、電源オフ設定処理においては、更新時間を設定できないものとして説明したが、設定画面において複数の情報が電源オフ時表示情報として設定される場合には「更新時間」の項目も選択可能にし、更新時間をユーザに選択させるようにしてもよい。
【００９０】
次に、外部装置２００において所定操作で呼び出される電源オフ設定処理について説明する。電源オフ設定処理は外部装置２００において所定操作が行われ、メニュー画面が表示装置２２１に表示された後に実行される処理である。メニュー画面では、複数のメニュー項目が選択可能に表示され、メニュー項目のひとつとして「電源オフ時表示情報」の項目も表示される。図１１に示すように、電源オフ設定処理では、外部装置２００におけるＣＰＵ２１０は、操作部２１４の操作に応じて、「電源オフ時表示情報」の項目を選択する操作があったか否かを判定する（ステップＳ１１１）。ＣＰＵ２１０は、「電源オフ時表示情報」の項目を選択する操作があったと判定した場合には（ステップＳ１１１：ＹＥＳ）、メモリカード２３に記憶されているコンテンツの一覧を表示して、設定を行うコンテンツの選択を促すメッセージを表示し、一覧の中からコンテンツを選択する操作の入力を受け付ける（ステップＳ１１２）。そして、ＣＰＵ２１０は、一覧の中からコンテンツを選択する操作の入力があるか否かを判定する（ステップＳ１１３）。ＣＰＵ２１０は、コンテンツを選択する操作の入力があると判定した場合には（ステップＳ１１３：ＹＥＳ）、ステップＳ１１４に進む。一方、ＣＰＵ２１０は、「電源オフ時表示情報」の項目を選択する操作がなかったと判定した場合や（ステップＳ１１１：ＮＯ）、コンテンツを選択する操作の入力がないと判定した場合には（ステップＳ１１３：ＮＯ）、本処理を終了する。
【００９１】
尚、ステップＳ１１１や、ステップＳ１１３でＮＯと判断される場合は、その他のメニュー項目が選択されるか否かが判断され、その他のメニュー項目が選択された場合はそれに応じた処理を実行した後、本処理を終了する。図１１と上記の説明ではこれらのステップを省略して記載している。
【００９２】
ステップＳ１１４において、ＣＰＵ２１０は、ステップＳ１１２において選択されたコンテンツに対して、ユーザにより電源オフ時に表示する情報を指定する操作の入力を受け付ける（ステップＳ１１４）。尚、ステップＳ１１４においては、メモリカード２３に記憶された情報やＨＤＤ２１８に記憶された情報が指定される。
【００９３】
次に、ユーザにより指定された情報を、ステップＳ１１２において選択されたコンテンツに対応する電源オフ時表示情報として電源オフ表示テーブル（コンテンツ）に登録する（ステップＳ１１５）。尚、ステップＳ１１５において、電源オフ表示テーブルに電源オフ時表示情報として登録された情報がメモリカード２３にあらかじめ記憶されていない場合は、ステップＳ１１５において、ＣＰＵ２１０がメモリカード２３にその情報を記憶する。
【００９４】
そして、再度、ステップＳ１１２に進む。これによって、ＣＰＵ２１０は、操作部２１４の操作に応じて指定された一又は複数の情報（例えば、情報１、情報２、情報３など）を、移行直前の電源オン状態において表示しているコンテンツに関連する情報として選択し、電源オフ表示テーブルに記憶することとなる。これによって、ＣＰＵ２１０は、操作部２１４の操作に応じて、電源オフ時に表示する情報をコンテンツに関連付けてメモリカード２３に記憶することとなり、このメモリカード２３を読み取る携帯型表示装置１のＣＰＵ１０は、電源オン状態から電源オフ状態へ移行する際に表示しているコンテンツに関連する情報（例えば、情報１、情報２、情報３など）を表示することとなる。
【００９５】
以上のようにして、本実施の形態の携帯型表示装置１では、電源オフ状態のときにおいて、所定のタイミングで繰り返し電源オフ状態から電源オン状態に移行して不揮発性表示部に表示する情報を変更する。従って、電源オフ状態であっても、所定のタイミングで電源オン状態に移行して、表示させる情報を変更させることができる。
【００９６】
尚、上記実施の形態におけるＣＰＵ１０は、「制御部」に相当し、電気泳動表示装置２１は、「不揮発性表示部」に相当し、操作キー１４は、「操作部」に相当し、ＥＥＰＲＯＭ１８、メモリカード２３は、「情報記憶部」に相当する。
【００９７】
尚、本発明の携帯型表示装置１は、上記した実施の形態に限定されるものではなく、本発明の要旨を逸脱しない範囲内において種々変更を加え得ることは勿論である。
【００９８】
上述した実施形態においては、携帯型表示装置１において、図３（ａ）に示すような電源オフ表示テーブル（本体）を更新し、携帯型表示装置１とは異なる外部装置２００において、図３（ｂ）に示すような電源オフ表示テーブル（コンテンツ）を更新したが、これに限らず、例えば、携帯型表示装置１自体で図３（ｂ）に示すような電源オフ表示テーブル（コンテンツ）を更新してもよい。また、例えば、外部装置２００において、図３（ａ）に示すような電源オフ表示テーブル（本体）を更新してもよい。
【００９９】
また、上述した実施形態においては、携帯型表示装置１の本体として、更には、コンテンツ毎に、電源オフ時表示情報を設定可能としたが、これに限らない。例えば、コンテンツの種別毎、コンテンツのデータが格納されているフォルダ毎、コンテンツの名前別（具体的にはあ行など）、コンテンツに機密情報が設定されているか否か、コンテンツのセキュリティレベル、電源オフ状態となる際における時間などに対して、予め設定された情報を設定可能としてもよい。
【０１００】
また、通信網を介してサーバ３００などに対して、コンテンツやそれに対応する電源オフ時表示情報をダウンロードするタイミングで、電源オン状態に一時的に移行し、電源オフ時表示情報を変更するようにしてもよい。また、新規にコンテンツや電源オフ時表示情報をダウンロードするものだけではなく、例えば、コンテンツや電源オフ時表示情報の更新用のダウンロードであってもよい。
【０１０１】
このような実施形態について、図１２を用いて以下に説明する。尚、本実施形態においては、発明の理解を容易とするために、異なる構成、処理について主に説明をし、同じような構成、処理については説明を省略する。
【０１０２】
携帯型表示装置１において、図６のステップＳ６９で呼び出される電源オフ中処理では、まず、図１２に示すように、ＣＰＵ１０は、電源キー１５が押下されたか否かを判定する（ステップＳ２５０）。ＣＰＵ１０は、電源キー１５が押下されたと判定した場合には（ステップＳ２５０：ＹＥＳ）、電源オフ状態にする前に図３に示すようなテーブルなどの各種情報を更新し、本処理を終了し、図６のステップＳ１１に処理を移すこととなる。一方、ＣＰＵ１０は、電源キー１５が押下されていないと判定した場合には（ステップＳ２５０：ＮＯ）、ステップＳ２５１に進む。
【０１０３】
ステップＳ２５１において、ＣＰＵ１０は、図９のステップＳ２０２と同じように、更新時間が経過したか否かを判定する。この処理において、ＣＰＵ１０は、電気泳動表示装置２１に表示しているコンテンツに対応する更新時間が経過したか否かを判定することとなる。
【０１０４】
ＣＰＵ１０は、更新時間が経過していないと判定した場合には（ステップＳ２５１：ＮＯ）、再度、ステップＳ２５０に処理を移す。一方、ＣＰＵ１０は、更新時間が経過したと判定した場合には（ステップＳ２５１：ＹＥＳ）、ステップＳ２５３に処理を移す。
【０１０５】
そして、ＣＰＵ１０は、起動処理を実行し（ステップＳ２５３）、更新要求情報をサーバ３００に送信する（ステップＳ２５４）。
【０１０６】
一方、サーバ３００において、ＣＰＵ３１０は、更新する電源オフ時表示情報があるか否かを判定する（ステップＳ３０１）。ＣＰＵ３１０は、更新する電源オフ時表示情報があると判定した場合には（ステップＳ３０１：ＹＥＳ）、ステップＳ３０３に処理を移す。一方、ＣＰＵ３１０は、更新する電源オフ時表示情報がないと判定した場合には（ステップＳ３０１：ＮＯ）、再度、ステップＳ３０１に処理を移す。このように、更新する電源オフ時表示情報があるか否かが逐次監視されることとなる。
【０１０７】
そして、サーバ３００において、ＣＰＵ３１０は、更新する電源オフ時表示情報があり、携帯型表示装置１から更新要求を受信した場合には（ステップＳ３０３）、更新する電源オフ時表示情報を送信する（ステップＳ３０４）。この処理が終了した場合には、後述する受信完了の受信を待ち（ステップＳ３０５）、再度、ステップＳ３０１に進む。
【０１０８】
携帯型表示装置１において、ＣＰＵ１０は、サーバ３００から更新する電源オフ時表示情報を受信し（ステップＳ２５５）、受信完了情報をサーバ３００に送信する（ステップＳ２５６）。
【０１０９】
そして、ＣＰＵ１０は、受信した電源オフ時表示情報を、今まで表示していた電源オフ時表示情報に代えて表示する（ステップＳ２５７）。
【０１１０】
そして、ＣＰＵ１０は、フッタ（表示領域下方）に「電源オフしました」というメッセージを表示する（ステップＳ２５８）。そして、ＣＰＵ１０は、停止処理を行い（ステップＳ２５９）、再度、ステップＳ２５０に進む。
【０１１１】
このように、ＣＰＵ１０は、所定のタイミングで電源オフ状態から電源オン状態に移行した後に、電気泳動表示装置２１に表示する情報が記憶されたサーバ３００に変更する情報の取得を要求して、サーバ３００から変更する情報を取得し、電気泳動表示装置２１に表示する情報を変更することとなる。
【０１１２】
従って、サーバ３００への要求によって、変更する情報を取得し、電気泳動表示装置２１に表示する情報を変更することとなり、サーバ３００において記憶されている情報にも変更可能となり、更に簡便である。
【０１１３】
また、上述した実施形態においては、携帯型表示装置１からサーバ３００に要求を行うことによって、電源オフ状態における表示を変更させたが、これに限らず、例えば、サーバ３００から携帯型表示装置１に要求を行うことによって、電源オフ状態における表示を変更させてもよい。
【０１１４】
このような実施形態について、図１３を用いて以下に説明する。尚、本実施形態においては、発明の理解を容易とするために、異なる構成、処理について主に説明をし、同じような構成、処理については説明を省略する。
【０１１５】
携帯型表示装置１において、図６のステップＳ６９で呼び出される電源オフ中処理では、まず、図１３に示すように、ＣＰＵ１０は、電源キー１５が押下されていないと判定した場合には（ステップＳ２５１：ＮＯ）、サーバ３００から起動要求があったか否かを判定する（ステップＳ２６０）。
【０１１６】
一方、サーバ３００において、更新する電源オフ時表示情報があると判定した場合には（ステップＳ３０１：ＹＥＳ）、その電源オフ時表示情報を送信する端末を決定する。この場合において、ＣＰＵ３１０は、更新する前の電源オフ時表示情報を送信した履歴を参照し、更新する電源オフ時表示情報を送信する端末を決定することとなる。そして、ＣＰＵ３１０は、更新する電源オフ時表示情報を送信する携帯型表示装置１に起動要求を送信する（ステップＳ３０２）。
【０１１７】
携帯型表示装置１において、ＣＰＵ１０は、サーバ３００から起動要求を受信した場合には（ステップＳ２６０：ＹＥＳ）、上述した実施形態と同じようにステップＳ２５３に処理を移す。
【０１１８】
これによって、ＣＰＵ１０は、電源オフ状態のときにおいて、電気泳動表示装置２１に表示する情報が記憶されたサーバ３００（外部装置）から、変更する情報を受信した場合に所定のタイミングとなったと判定して、電源オフ状態から電源オン状態に移行してその変更する情報を取得し、電気泳動表示装置２１に表示する情報を変更することとなる。
【０１１９】
従って、サーバ３００からの情報の受信によって、ＣＰＵ１０は、変更する情報を取得し、電気泳動表示装置２１に表示する情報を変更することとなり、サーバ３００において記憶されている情報にも変更可能となり、更に簡便である。
【０１２０】
尚、上述した実施形態においては、メモリカード２３にコンテンツのデータを格納させたが、これに限らず、例えば、ＵＳＢケーブルなどを介して、携帯型表示装置１におけるＥＥＰＲＯＭ１８にコンテンツのデータを格納させてもよい。
【符号の説明】
【０１２１】
１    携帯型表示装置
１０  ＣＰＵ
１４  操作キー
１５  電源キー
１６  ＲＯＭ
１８  ＥＥＰＲＯＭ
１９  ＲＴＣ
２１  電気泳動表示装置
２２  バッテリ
２３  メモリカード
【図１】
2011039200.tif 000003
【図２】
2011039200.tif 000004
【図３】
2011039200.tif 000005
【図６】
2011039200.tif 000006
【図７】
2011039200.tif 000007
【図８】
2011039200.tif 000008
【図９】
2011039200.tif 000009
【図１０】
2011039200.tif 000010
【図１１】
2011039200.tif 000011
【図１２】
2011039200.tif 000012
【図１３】
2011039200.tif 000013
【図４】
2011039200.tif 000014
【図５】
2011039200.tif 000015